(57)【要約】【課題】自動脱骨処理装置における処理工程数の削減と、流体圧アクチュエータによる個別制御に代るカムによる統括制御系への切り換えと、併せて高歩留まり化を図った食鳥屠体上半身の自動脱骨処理装置を提供する。【解決手段】食鳥屠体上半身の自動脱骨処理装置は、主タクト送りの処理空間１１と、８組のステーション群と、カム機構１４とより構成し、前記主タクト送りの処理空間１１は、断続歩進駆動部１２ａを介して４５度ずつの断続歩進運動をする回転円盤１２と、該円盤の周辺部位に沿って４５度間隔でラジアル方向の外方向に向け正対させ配設した８個のコーン１３とで構成する。【選択図】  図１
2008307064.tif 000002
【特許請求の範囲】
【請求項１】
食鳥屠体上半身よりなるワークを嵌挿して固定するコーンを走行体に配設し、該コーンに前記ワークを嵌挿固定した後、前記走行体を介して各ステーション毎に断続歩進させながら走行させて夫々所定の処理を行う各ステーションで正対停止させ、各ステーション停止毎に所定の処理を行ない、自動脱骨処理をする脱骨処理装置において、
前記ワークを前記コーンに嵌挿するワーク投入部の前に、コーンにワークを投入する搬送ラインを設けるとともに、該搬送ライン上にカッターによってワーク背中部の自動筋入れを行って前処理工程、前記搬送ライン上に設けた複数の皮剥ぎ部により、複数段階の皮剥ぎを行う皮剥工程、皮剥ぎ処理後コーンにワークを自動投入する工程が順次配設されていることを特徴とする脱骨処理装置。
【請求項２】
前記ワークを胸面側を搬送ライン下面側に向けて搬送するとともに、前記複数の皮剥ぎ部を搬送ライン前段側のライン下面側に胸皮の皮剥ぎを行う第１の皮剥工程と、後段側に背面の切り込み部をのぞく手羽元（ワキの下）付近の側面皮剥ぎを行う第２の皮剥工程とを配設するとともに、第１の皮剥ぎ工程と第２の皮剥ぎ工程との間若しくは第２の皮破剥ぎ工程時に、姿勢補正ガイドを配置し、第１の皮剥工程で崩れた姿勢を補正することを特徴とする請求項１記載の脱骨処理装置。
【請求項３】
前記皮剥手段に、螺旋状に溝が切られた２本のシャフトを対置して互いに内側方向に回転させて、皮をはぐピーラーローラ対を用い、該ピーラーローラ対をワークの下面側に搬送方向と直交してに配置することで、ワークの胸肉前面の皮を剥ぎ取る第１の工程を前段側に、第１の皮剥ぎ工程で残った手羽元（ワキの下）付近の皮をワーク側面に略Ｖ字状に配置したピーラーローラ対によって皮を剥ぐ第２の皮剥工程よりなることを特徴とする請求項１記載の脱骨処理装置。
【発明の詳細な説明】
【技術分野】
【０００１】
本発明は、食肉用鶏肉等の食鳥屠体上半身のワークの脱骨処理において、ワーク投入工程及びワーク投入後に行う脱骨処理の全過程で正しいワークの姿勢を保持するため、基準高さに対してはワークの肩関節の下面を基準面として設定するとともに、ワークの基準方向に対する向きはワークの胸骨中央への押圧部材により設定する構成とし、ついでワークの固体差の区別無く正確な肩関節まわりの腱等の生態組織の切断により、手羽とともに行う胸肉の引き剥がしや、ついで行うササミの筋入れによる確実な引き剥がしを可能とする、高歩留まりの食鳥屠体上半身の自動脱骨処理装置に関する。
【背景技術】
【０００２】
近時、食用鳥獣の飼育、屠殺、及び屠体の処理は大規模となり、各種の自動化が行なわれている。従来、食用鳥獣の屠体からの腿肉の切り離しは手作業で行なわれてきたが、最近は、好適な脱骨方法並びに脱骨装置に関する発明が提示されている。
【０００３】
上記腿肉の処理に関しては、食鳥の骨付き腿肉の骨抜き装置に係わる提案が特開平６−２８４８５４に開示されている。
上記提案は、従来の手作業による食鳥の骨付き腿肉の骨と肉への分離作業の各手順を自動的に行うことを目的としたもので、腿肉搬送装置と、食鳥の骨付き腿肉の骨に沿って筋入れをする装置と、腿肉の膝関節を切断して大腿骨と下腿骨とを分離する装置と、大腿骨を腿肉より引き剥がす装置と、下腿骨周囲の腿肉をくるぶしから膝関節まで下腿骨から引き剥がす装置と、腿肉の腱切断装置とから構成し、前記搬送装置の無端チェーンでワークのくるぶし部を略水平状に把持して所定の処理を行い、該処理の終了後、後段の処理装置へ移送する搬送手段を設けている。
【０００４】
また、腿肉処理については、食鳥の骨付腿肉の骨に沿って筋入れをする装置に係わる提案が特開平７−３９２９６に開示されている。
上記提案は、骨付腿肉を大腿骨と下腿骨に沿って切り開く作業を自動的に行うためのもので、腿肉切断手段を回転規制手段や強制回転手段や制動手段を介して、下腿骨、膝関節、大腿骨の骨部に沿っての筋入れを可能にしている。
【０００５】
上記脱骨装置のうち、鶏肉屠体上半身の脱骨処理については、下記二つの提案が特開平１１−２６６７８０並びに特開２００１−２１１８１８に開示されている。これらの提案は鶏肉屠体上半身の自動脱骨処理方法とその装置に係わるもので、鶏肉屠体上半身より肩関節を切断し、胸肉を含む手羽を剥がし、ついでササミ取りをして脱骨する際のワークの大小や左右の固体差に自動的に対応して高歩留まりの脱骨処理を行うようにしたもので、後者の提案は前者の提案を改善したもので、後者の提案においては、ワークの左右のバランスの崩れ等の固体差を吸収するとともに、胸肉剥ぎの際三角骨の破砕による異物混入の完全排除とササミのちぎれを皆無としたものである。
【０００６】
第２１図（Ａ）に見るように、上記特開平１１−２６６７８０に記載の鶏肉屠体上半身の自動脱骨処理装置は、主タクト送り部６９と補助タクト送り部７０とより構成し、主タクト送り部６９は主タクト送り５０とステーション１ｓｔ〜１２ｔｈのステーション群とよりなる。
【０００７】
上記ステーション群は、主タクト送り５０の外周にロータリ状に３０度毎に分割割り出しをし、割り出し位置に正確に位置する構成とし、各ステーションには下記に示す処理部がタクト送り５０の回動中心に対しラジアル方向に正対するように構成され、ステーション１ＳＴにはワーク投入装着部５１が設けられ、ステーション２ｎｄ〜５ｔｈには前処理部５２が設けられており、ステーション２ｎｄには肩皮剥ぎ部５２ａが設けられ、ステーション３ｒｄには肩カット部５２ｂが設けられ、ステーション４ｔｈには鎖骨カット部と背筋カット部の５２ｃが設けられ、ステーション５ｔｈには計測部５２ｄが設けられ、ステーション６ｔｈ〜７ｔｈには肩関節切断部５３が設けられており、それぞれ、ステーション６ｔｈには肩筋入れ部５３ａが設けられ、ステーション７ｔｈには脇カット部５３ｂが設けられ、ステーション８ｔｈには胸肉剥ぎ部５４が設けられ、ステーション９ｔｈにはササミ筋入れ部５５ａが設けられ、ステーション１１ｔｈにはササミ取り部５５ｂが設けられ、ステーション１２ｔｈにはガラ排出部５６が設けられている。
【０００８】
また、第２１図（Ｂ）に見るように、前記主タクト送り５０は前記ロータリ状に配設された１２個のステーション群の内側に接して、ワークを装着用コーン６８を搭載した状態で回動する装着テーブル６１と、該テーブルを所定角度の３０度毎に分割して歩進させる歩進駆動部６５と、該テーブル６１を歩進停止時に所定高さまで昇降させる昇降機構６６とより構成している。なお、図には装着テーブル６１を定位置まで上昇させたときの状態を示してある。
【０００９】
上記ワーク装着用のコーンは、前記歩進停止時に各ステーションに向け正対させて設けられ、コーン内にはワークを内部よりセットする肩止めが設けられているが、ステーション１２ｔｈのガラ排出部５６の下部には前記肩止めのロック解除部６４が設けられ、歩進停止時に前記装着テーブル６１を下降させ前記ロック解除部６４を作動させ、ロックを解除してガラ排出を可能にしている。
【００１０】
前記鶏肉屠体上半身の自動脱骨処理方法とその装置に係わる提案は本願発明者等により前記特開平１１−２６６７８０から前記特開２００１−２１１８１８へと改善がなされてきたが、尚一層の改善を要する点があり、特に後工程の出来不出来に影響する脱骨処理前のワーク投入工程を含む前処理工程の検討及び高歩留まり化の一層の努力が要求されている。
【発明の開示】
【発明が解決しようとする課題】
【００１１】
本発明は上記問題点に鑑みなされたもので、従来の食鳥屠体上半身の脱骨装置における処理工程数の削減と、従来の流体圧アクチュエータによる直線的個別制御に代る多様制御可能のカム制御による統括制御系への切り換えと、併せて高歩留まり化を図った食鳥屠体上半身の自動脱骨処理装置の提供を目的とするものである。
【００１２】
又本発明はワーク投入及び装着部において、皮剥ぎ鶏肉上半身の状態で皮剥ぎを行いながらステーション１ＳＴの所定位置に固定させる食鳥屠体上半身の自動脱骨処理装置の提供を目的とする。
【課題を解決するための手段】
【００１３】
そこで、本発明は、食鳥屠体上半身よりなるワークを嵌挿して固定するコーンを例えば環状走行路を走行する走行体に配設し、該コーンに前記ワークを嵌挿固定した後、前記走行体を介して各ステーション毎に断続歩進させながら走行させて夫々所定の処理を行う各ステーションで正対停止させ、各ステーション停止毎に所定の処理を行ない、自動脱骨処理をする脱骨処理装置において、
前記ワークを前記コーンに嵌挿するワーク投入部の前にワークの胸部と側面部の皮剥を行う皮剥ぎ工程を設けるとともに、該皮剥ぎしたワークを走行体に配設した前記コーンに嵌挿するワーク投入部の後に、嵌挿したワークの高さ設定と方向設定とによりワークを処理機構に正対させる固定部を設けることにより、肩関節を筋切断する肩筋入れ部の前に行うワークの左右肩甲骨頭の内側寸法の計測を行なう計測工程を削除するとともに、ワーク背面の中心に沿っての筋入れをする背筋カットと肩の肉部に切れ目を入れる肩カットを同一ステーションで行い、前記走行体の停止位置に配設されたステーション数の削減を図ったことを特徴とする。
本発明は、本発明の目的である工程数の削減を図るべく、前処理工程を検討して、前記コーンに嵌挿するワーク投入部の前にワークの胸部と側面部の皮剥を行う皮剥ぎ工程を設け、更に必要に応じて肩皮剥ぎをし肩の肉部を露出させることにより後工程の鎖骨カット及び計測、筋入れ等の肩周辺の前処理のために必要とされた従来の肩皮剥ぎ工程を削減する構成とした。
【００１４】
これにより、本発明は屠体の肩幅を計測して、後工程の肩筋入れや、脇カットの工程での固体差のある肩の関節部を正確にカットするために必要とされた計測工程を削減して、後記するように肩筋入れの際、肩関節の内側に一定大きさの部材を挿入して、肩幅を一定位置に変形させ、固体差や胸部や側面の皮のたるみ等にとらわれることなく、肩幅を一定位置に固定し、肩関節と上腕骨頭との間の筋入れを正確に行うことができる。
従って従来行なわれていた計測部で計測した肩幅のデータを元にして、肉押さえ板により手羽部を押し下げ肩関節を露出させ肩関節下側の筋をカットする脇カット工程は、前記コーンに嵌挿するワーク投入部の前にワークの胸部と側面部の皮剥を行う皮剥ぎ工程を設けた点と胸肉剥がし方法の改善により削減でき、更に、従来の前工程の肩カットと背筋カット工程を同時に行うように構成した結果、従来の１２工程を８工程にまで削減できた。
【００１５】
また、本発明は、前記走行体が、前記コーンをタクト（工程間送り）送り可能な間隔（例えば等間隔）で周辺部にラジアル外方向に正対配設するとともに、前記工程間毎に停止／移動サイクル（加工／タクト送りサイクル）からなる断続歩進運動を行う回転円盤より構成してなる脱骨処理装置において、
前記回転円盤からなる走行体の天井空間に、駆動源に駆動される駆動軸に設けられたカム群よりなる駆動系を設けるとともに、前記カム群に連繋された複数の操作リンクを天井空間より走行体の処理空間へ導入してその他方を、各ステーションのそれぞれの処理部に係合して、前記ワークの固定操作と固定したワークに対して行う処理操作を夫々行うように構成したことも特徴である。
特に天井空間に設けた駆動系は、駆動源に連結された鉛直駆動軸と、該鉛直駆動軸に連結された縦、横の駆動軸と、該縦横の駆動軸に設けられた複数のカム群とより構成するとともに、前記鉛直駆動軸は走行体下方空間に設けられた駆動軸に連結され、該駆動軸に走行体の断続歩進駆動部を駆動させる構成にするとよい。
【００１６】
従って本発明は、自動脱骨処理装置の各処理ステーションにおける脱骨処理の処理制御に、従来の流体圧アクチュエータによる直線的個別制御に代る、多様制御を可能とするカムによる統括制御系への切り換えにより、再現精度の向上、同期運動、間歇運動を可能としてコンパクトで確実に作動する構成にした。さらに、直線運動をする流体アクチュエータの使用を主体とする制御システムに代り、カム機構によって動きに多様性を持たせることが出来るので、従来行なわれた他の要素系の運動は排除可能となり、該要素系の構成の簡略を可能にした。
【００１７】
上記発明は、本発明における走行体の構成を記載したもので、ワークを搭載するコーンを周辺部に等間隔に配設し、且つ前記コーンを各ステーションにラジアル方向に外向き正切させた回転円盤で構成し、各ステーションでの一定の加工時間を確保するために、断続歩進運転を可能とする構成としている。
【００１８】
また、本発明の食鳥屠体上半身の自動脱骨処理装置における、前記コーンは前記ワークの肩関節の下面に当接して基準高さを設定する肩止めと、基準方向に対し方向設定をする胸骨内部の中央部を外側へ向け押圧するクッション性を有する胸骨押さえとより構成し、前記胸骨押さえは胸骨中央が前記胸骨押さえの先端に当接するように、胸骨押さえ下部に設けた押上げロッドにより付勢力に抗して上方へ突出する構成が好ましい。
【００１９】
上記発明は、投入され嵌挿状態にあるワークを正しい位置に設定するための、高さの設定にはワークの肩関節の下面に当接して基準高さに設定する用肩止めを用意し、高さ設定後のワークに対しコーンに対する左右の振れを規制する方向設定をすべく、胸骨の中央を内側より食い込み状に押圧する上下昇降可能の胸骨押さえを設ける構成にしてある。
【００２０】
本発明の食鳥屠体上半身の自動脱骨処理装置における前記カム機構は、モータを含む駆動系と、該駆動系に設けられた複数のカム群と、該カム群のそれぞれのカムに一方を係合するとともに他方を各ステーションのそれぞれの処理部に係合して所定の処理をする連繋操作リンク系とからなる構成が好ましい。
【００２１】
上記発明は、本発明におけるカム機構の構成について記載したもので、例えば減速機駆動モータより駆動源によって駆動する複数の駆動軸よりなる駆動系と、該駆動軸に各ステーションに対向する位置に設けた複数のカム群と、該カム群とそれぞれのステーションの作動端とを結合する連繋操作リンクと、を設ける構成とし、前記駆動源を含む駆動系を環状走行体を形成する回転円盤の上部空間に設けても良い。
【００２２】
上記カム型制御の使用により従来の流耐圧制御系の直線制御の代りに多様性の曲線制御が可能となり、各ステーションの処理機能に適合した効率的高歩留まり制御を可能とし、従来例に見られた複数の直線制御系の複合設置に代り、単一カム制御を可能とした。また、再現精度の向上、同期運動、間歇運動を可能として、高湿度の長期安定運転を可能としている。
【００２３】
本発明の食鳥屠体上半身の自動脱骨処理装置における、前記固定部は、前記コーンに嵌挿した前記ワークの肩部位の押圧により、高さ位置の制御をするとともに、外部へ突出していた胸骨押さえをワーク内に押し込み胸骨内部の中央に食い込ませ方向制御をさせる、前傾山形肩押さえを設ける構成が好ましい。
上記発明は、前段の投入工程でコーンに嵌挿したワークに対して高さ規制と方向規制をしながら位置規制をして、投入ワークに対し走行体のラジアル方向に位置する各処理部位に正対させるとともに固定させる構成について記載したもので、上記固定機能は、ワークの肩部位を押圧すべく設けた前傾山形押さえと、コーン内に内蔵された昇降可能の肩止めの高さ規制位置への上昇と、胸骨押さえの突出とにより形成されるもので、上記前傾山形押さえの下降によりワークを所定高さにセットするとともに、前記突出した胸骨押さえを上から胸骨内部の中央へ押さえ込み、食い込むように固くセットする構成としたものである。
【００２４】
さらに、本発明の食鳥屠体上半身の自動脱骨処理装置における、肩筋入れ部は、肩幅を拡幅して一定寸法に規制する肩幅設定押さえと肩関節筋切断用の左右一対の斜向カッターとよりなる構成が好ましい。
【００２５】
上記発明は、胸肉剥がしの前段で行う前処理の肩筋入れ部の構成について記載したもので、肩関節の筋入れを行う場合、固体差によるカッターの筋入れ位置の変動をなくすため、前記カッターの切り込み前に肩幅設定押さえを関節の内側へ挿入して一定位置まで変形させ、変形させた定位置に関節筋切断用カッターを挿入する構成としてある。
【００２６】
また、本発明の食鳥屠体上半身の自動脱骨処理装置における、前記胸肉剥がし部は、左右に垂れ下った手羽を脇の下より掬い上げる手羽拾いと、左右に広がった手羽付け根を掴み胸肉とともに引き剥がすチャックと、該チャックを駆動させて高歩留まりの引き剥がし曲線を形成させるカム機構と、よりなる構成が好ましい。
【００２７】
上記発明は、前段の肩関節の筋入れの後段に行う胸肉剥がし部の構成について記載したもので、手羽の脇の下付け根をチャックして、引き剥がすようにしたもので、この際カム機構により前記チャックを最初は首側前部へ移動させた後特有の引き剥がし曲線を描きながら高歩留まりのもとに引き剥がす構成にしてある。なお、上記胸肉引き剥がしの際は、三角骨を予め押さえておき、その破砕を防止し、引き剥がす胸肉に混入しない構成にしてある。
【００２８】
本発明の食鳥屠体上半身の自動脱骨処理装置における、前記ササミ筋入れ部は、ササミが付着しているガラ表面の間の付着部に切り込みを入れ下方へ切り下げるとともに、ササミ表面を覆う薄膜をカットする、ヤゲンの両側に設けた一対のナイフと、肩押さえと、より構成するのが良い。
【００２９】
上記発明は、ササミ筋入れ部の構成について記載したもので、ササミがガラに付着しているガラとの付着面にナイフを横より挿入して予め切り離す構成にしてある。
【００３０】
本発明の食鳥屠体上半身の自動脱骨処理装置における、前記ササミ取り及びササミ筋切り部は、ササミの肩頂点部の付け根部位の位置決めをする肩押さえと、ワークの外側より中央側へ横移動して鎖骨を押し退けるチャックと、ササミの肩頂点の筋をチャックしてササミを引き剥がすチャック部と、引き剥がしたササミの筋の先端付け根を切断するカッターと、よりなる構成が好ましい。上記発明により、引き剥がしたササミの頂点の筋を引き剥がした後自動的にカットする構成にしてある。
【００３１】
本発明の食鳥屠体上半身の自動脱骨処理装置における、前記ガラ排出部は、排出時ワークの固定状態を解除するための下降可能の肩止め、及び胸骨押さえと、ガラを上方へ跳ね上げる排出バーと、シュートへ押し出す押し出し排出バーとよりなる構成が好ましい。
【００３２】
上記発明は、ガラの排出機構について記載し、ガラ排出の際は走行体である回転円盤を上昇させることなく行うようにしたもので、カム機構によりガラを上方へ押し上げる排出バーを作動させ、押し上げたガラをシュートへ押し出す排出バーを順次作動させる構成にしてある。
【００３３】
なお前記コーンに嵌挿するワーク投入部の前にワークの胸部と側面部の皮剥を行う皮剥ぎ工程は，食鳥屠体上半身よりなるワークを嵌挿して固定するコーンを走行体に配設し、該コーンに前記ワークを嵌挿固定した後、前記走行体を介して各ステーション毎に断続歩進させながら走行させて夫々所定の処理を行う各ステーションで正対停止させ、各ステーション停止毎に所定の処理を行ない、自動脱骨処理をする脱骨処理装置であれば、前記発明に限定されず他の装置にも適用可能である。
【００３４】
そしてその場合には、前記ワークを前記コーンに嵌挿するワーク投入部の前に、コーンにワークを投入する搬送ラインを設けるとともに、該搬送ライン上にカッターによってワーク背中部の自動筋入れを行って前処理工程、前記搬送ライン上に設けた複数の皮剥ぎ部により、複数段階の皮剥ぎを行う皮剥工程、皮剥ぎ処理後コーンにワークを自動投入する工程が順次配設されているのがよく、そしてこの場合は、前記ワークを胸面側を搬送ライン下面側に向けて搬送するとともに、前記複数の皮剥ぎ部を搬送ライン前段側のライン下面側に胸皮の皮剥ぎを行う第１の皮剥工程と、後段側に背面の切り込み部をのぞく手羽元（ワキの下）付近の側面皮剥ぎを行う第２の皮剥工程とを配設するとともに、第１の皮剥ぎ工程と第２の皮剥ぎ工程との間若しくは第２皮剥工程時に、姿勢補正ガイドを配置し、第１の皮剥工程で崩れた姿勢を補正するのがよい。
【００３５】
又前記皮剥手段に、螺旋状に溝が切られた２本のシャフトを対置して互いに内側方向に回転させて、皮をはぐピーラーローラ対を用い、該ピーラーローラ対をワークの下面側に搬送方向と直交してに配置することで、ワークの胸肉前面の皮を剥ぎ取る第１の工程を前段側に、第１の皮剥ぎ工程で残った手羽元（ワキの下）付近の皮をワーク側面に略Ｖ字状に配置したピーラーローラ対によって皮を剥ぐ第２の皮剥工程よりなるのが好ましい。
【発明を実施するための最良の形態】
【００３６】
以下、本発明を図に示した実施例を用いて詳細に説明する。但し、この実施例に記載される構成部品の寸法、材質、形状、その相対配置などは特に特定的な記載が無い限り、この発明の範囲をそれのみに限定する趣旨ではなく単なる説明例に過ぎない。
【００３７】
第１図は本発明の食鳥屠体上半身の自動脱骨処理装置の概略構成を示す一方側側面より見た第２図のＡ−Ａ断面図であり、第２図は第１図のステーション群の配設模式図であり、第３図は第２図の各ステーションの各機能を模式図的に示す図で、第３図は第２図の各ステーションの各機能を模式図的に示す図である。
【００３８】
第１図に見るように、本発明の食鳥屠体上半身の自動脱骨処理装置は、主タクト送りの処理空間１１と、８組のステーション群と、カム機構１４とより構成する。
前記主タクト送りの処理空間１１は、断続歩進駆動部１２ａを介して４５度ずつの歩進運動をする回転円盤１２と、該円盤１２の周辺部位に沿って４５度間隔でラジアル方向の外方向に向け正対配設した８個のコーン１３とより構成する。
【００３９】
また、前記脱骨処理をするステーション群は第２図の配設模式図に見るように、ステーション１ＳＴのワーク投入部前面側に設けた前処理工程（皮剥ぎ工程２００）と、回転円盤１２上に当角度間隔で設けたステーション群１ＳＴ〜８ＳＴよりなり、前記回転円盤１２の断続停止位置に設けられ前記回転円盤１２上のコーン１３に固定されたワークに対し所要処理可能の位置に配設する構成にしてある。また、第３図に見るように、前記前処理工程（皮剥ぎ工程）には鶏肉屠体上半身１０の首部をサドル７０１の差し込み部の突起７０２に挿入してワーク投入固定部７００、回転する丸刃カッター７１０によって、背筋（皮部分）をカットすることで、皮剥ぎの前処理を行う背筋カット部７１、螺旋状に溝が切られたシャフト対を互いに対峙する側に回転させて皮をはぐピーラーローラ対７２０を搬送方向と直交して配置し、ワークの胸肉前面の皮を剥ぎ取る下面皮剥ぎ部７２と、下面皮剥ぎで残った手羽元（ワキの下）付近の皮を搬送方向に沿ってそれぞれ１対のピーラーローラ対７３０Ａ、７３０ＢをＶ字状に配置したピーラーローラによって皮を剥ぐ側面皮剥ぎ部７３と、側面皮剥ぎ部を通過したワーク１０を、ガイド７５０（第１７図参照）によって姿勢を整えて走行体本体のステーション１ＳＴへと自動投入される投入部７４を具える。
【００４０】
走行体の１ＳＴにはワークをコーン１３に嵌挿するワーク投入部２０を設け、２ＳＴには前記嵌挿したワークをコーン上に所定高さにセットするとともに、ラジアル方向に正対固定させるワーク固定部２１を設け、３ＳＴには前記固定したワークの背側に筋入れをする背筋カット部２２ａと肩上部の表皮に切り込みを入れる肩カット部２２ｂとを設け、４ＳＴには肩関節１０ｅと上腕骨頭の間を切断する肩筋入れ部２３を設け、５ＳＴには肩筋入れにより肩関節より分離した手羽１０ａを手羽ともども胸肉１０ｂを剥がす胸肉剥がし部２４を設け、６ＳＴにはササミのガラとの間の薄膜に筋入れをするササミ筋入れ部２５を設け、７ＳＴには薄膜に切り込みを入れたササミの頂部をチャックしてササミ１０ｃを剥がすササミ取り部２６ａとササミ筋切り部２６ｂとを設け、８ＳＴにはガラ排出部２７を設ける構成とし、ワークを前記主タクト送りの処理空間１１により断続歩進走行させ停止時に前記各ステーションで第３図に示す処理と脱骨をして最終ステーションでガラ１０ｄを排出する構成にしてある。
【００４１】
第４図は、第１図のカム機構を使用した統括制御の概略構成を示す系統図で、第１４図は第２図のステーション２ＳＴのカム機構を利用した駆動系の概略構成を示す図である。
【００４２】
前記カム機構は、第１図、第４図及び第１４図に見るように、前記の処理空間１１の上部天井部空間１４１に配設する構成とし、駆動源である減速モータ１５と鉛直駆動軸１６ａと、該鉛直駆動軸にべべルギヤ１５ａ、１５ｂを介して連結された縦、横の直行駆動軸（ロッド）１６ｂ、１６ｃとよりなる駆動系と、該駆動軸１６ｂ、１６ｃにそれぞれのステーション毎に設けられた複数のカム１７０／カムフォロア１７１からなるカム機構群１７、１７と、該カムフォロア１７１にその一端を係合させ他端を各ステーション毎の加工処理部材に係合して所定の処理をするレバー及びロッド等からなる連繋操作リンク系１８、１８とより構成する。
【００４３】
第１図には、第２図のＡ−Ａ視図が示されているが、減速モータ１５の下部より鉛直駆動軸１６ａが設けられ、該鉛直駆動軸１６ａよりべべルギヤ１５ａを介して天井空間１４１に横駆動軸１６ｂが設けられ、該駆動軸１６ｂにべべルギヤ１５ｂを介して縦駆動軸１６ｃが配設されている。なお、前記鉛直駆動軸１６ａにはべべルギヤ１５ｃを介して下側処理空間１１に駆動軸１６ｄが設けられ、該駆動軸１６ｄにより図示していない伝導系を経由して回転円盤１２の断続歩進駆動部１２ａを駆動させる構成にしてある。
【００４４】
又、前記横駆動軸１６ｂに設けられたカム群１７より連繋操作リンク１８ａ、１８ｂ、１８ｃ、１８ｄが天井空間１４１より主タクト送りの処理空間１１へ導入され、連繋操作リンク１８ａと１８ｂは３ＳＴの肩カット部２２ｂと背筋カット部２２ａにそれぞれ係合させ、連繋操作リンク１８ｃと１８ｄは７ＳＴのササミ取り部２６ａに係合して、それぞれ所定の処理を行う構成にしてある。
【００４５】
第１４図は第２図のステーション２ＳＴのカム機構と連繋操作リンクを利用した駆動系の概略構成を示す図で、これを代表例としてカム機構と連繋操作リンクやロッド及びレバーの具体的構成を示す。
【００４６】
天板１４０上の天井空間１４１には、横駆動軸１６ｂによって回転するカム溝１７０／カムフォロア１７１からなるカム機構、該カムフォロア１７１にその一端を係合させ他端をロッド１７２に連結され、カムフォロア１７１の上下動をロッド１７２の軸運動に変換させる第１のＬ字レバー１７３、ロッド１７２の他端に連結され、ロッド１７２の水平動をロッドエンド１７４の垂直軸運動に変換する第２のＬ字レバー１７５等からなり、ロッドエンド１７４は、天板下方の処理空間１１に推設する昇降軸１７６に取り付けられ、昇降軸１７６を介して山形状の肩押さえ２１ａを昇降させることができる。
【００４７】
このカム溝１７０／カムフォロア１７１からなるカム機構と連繋操作リンクやロッド及びレバーによりそれぞれのステーションＳＴ毎に好ましいストローク量を設定して、直線運動をする流体アクチュエータの使用を主体とする制御システムに代り、上記カム機構１４のストロークをそれぞれのステーションＳＴ毎に多様性を持たせて上下若しくは回転運動に制御動をさせることが出来、且つ１つの減速モータ１５で制御系全体を機械的に確実且つ統括的に行うことができ、且つ食肉を扱う多湿空間においても、長期間の安定運転を可能にしている。また、従来行なわれた他の要素系との相互にパラレルな制御運動は原則として排除可能となり、該要素系の構成の簡略を可能にした。また、１つの減速モータ１５で制御系全体を機械的に確実且つ統括的に行うことができるために再現精度の向上、同期運動、間歇運動を可能として、高湿度の長期安定運転を可能としている。
【００４８】
第１５図〜第１９図は、は、ステーション１ＳＴのワーク投入部の前処理工程としての皮剥ぎ工程を示し、第１５図はその全体の流れを示すフロー図、第１６図及び第１７図は、皮剥ぎ工程の詳細構成を示す平面図と正面図である。
第１８図は、前記皮剥ぎ工程の内、下面皮剥ぎ部と側面皮剥ぎ部詳細構成を示す要部拡大平面図、第１９図は、側面皮剥ぎ部の断面構成を示す第１８図のＡ−Ａ線断面図である。
【００４９】
まず第１７図は皮剥ぎ工程の駆動系を構成する駆動チェーン間の搬送空間上のレイアウト構成を示し、天板１４０上には、減速モータ１５と連結された横駆動軸１６ｂによって回転するべべルギヤが組み込まれた歯車箱８１が取り付けられ、該歯車箱８１は鉛直駆動軸８２を介して処理空間１１側の歯車箱８３に回転力を伝達し、伝導チェーン（不図示）を介して皮剥ぎ工程の駆動チェーン８５を駆動させる。
【００５０】
駆動チェーン８５には、所定間隔毎にワークを固定するための矩形鍵型状のサドル７０１が取り付けられており、該サドル７０１に取り付けられた突起７０２に挿入されたワーク５０が第１ステーション１ＳＴのコーンの停止タスク間隔毎に駆動チェーンの回動力とガイド７５０を利用して前記コーン１３上に投入されるように構成している。
【００５１】
そして前記駆動チェーン８５上は、作業者のワーク投入位置から第１ステーション１ＳＴのコーン側に向けて斜め上方に向けて進行しながら、進行方向に向けてにおいて、作業者側よりワーク投入スペース、ワーク背中カット区間、下面皮剥ぎ取り区間、側面皮剥ぎ取り区間及びワークの本体投入部が位置し、それぞれの区間には後記する対応治具が、固定配置されている。
１）  作業者による投入スペース
社業者による投入スペースには、駆動チェーン８５に連結されたサドル７０１が、所定間隔毎に作業者による投入スペースに侵入し、作業者がサドル７０１に取りつけられた突起７０２に鶏肉屠体上半身の首部を創設して固定する。その結果鶏肉屠体上半身は連続で駆動するするサドル７０１によって背中カット区間に搬送される。
２）  背中カット区間
背中カット区間には第２０図に示すように、搬送方向に平行に配設された２枚の丸刃７１１と該丸刃の刃先のみを露出させて皮のみを切断可能にガイド支持部７１８に支持されている板バネ状の刃先ガイド７１２により構成した丸刃カッタ７１０を有し、該丸刃カッタ７１０は、ガイド支持部７１８に軸支されている揺動軸７１３によりワーク背中面に対し、接離方向に揺動自在に構成され、該丸刃カッタ７１０は前記軸７１３に対し丸刃の反対側までそのガイド支持部７１８を延設してその延設部７１８ａにエアシリンダ７１５を設け、重量負担の軽減を図っている。
かかる構成によれば回転するガイド付きの丸刃カッタ７１０によって、皮部分の背筋をカットすることで、皮剥ぎの前処理を行う。個体差は丸刃カッタ７１０が刃先ガイド７１２を介して軸７１３によってワーク（鶏肉屠体上半身）にならい揺動することによって吸収する。またワークに余分な力を加えず皮のみを切る目的で、エアシリンダ７１５を用いて丸刃カッタ７１０の重量を緩和している。
３）  下面皮剥ぎ区間
ワーク下面と対面する下方空間に、螺旋状に溝が切られた２本のシャフトを対置して互いに内側方向に回転可能に、搬送方向と直交して配置されたピーラーローラ対７２０が位置し、ワークの搬送に従ってワークの胸肉前面の皮を剥ぎ取る。（図１５の（Ｂ）はワークを下面（胸面）側からみたもので、剥ぎ取られた後の残りの皮がハッチング７で示されている。）
４）  側面皮剥ぎ区間
側面皮剥ぎ区間には、下側シャフトが狭域で上側シャフトが広域になるように、略Ｖ字状に搬送方向に平行に配置した２対のピーラーローラ７３０Ａ，７３０Ｂが略Ｖ型取り付け壁７０５に固設されており、下面皮剥ぎで残った手羽元（ワキの下）付近の皮を略Ｖ字に配置した２対のピーラーローラ対によって皮を剥ぐ。ピーラーローラ対７３０Ａ，７３０Ｂの回転方向とねじ切り方向はワーク搬送方向の逆向きになるように設定され、又該ピーラーローラ対の入り口側端はガイド７３１によって覆われるように構成している。こうすることで剥ぎ取った皮にワークが直接当たることがなく、ワークに脂が付着するのを防ぐ。また下面皮剥ぎ区間と側面皮剥ぎ部との間に、姿勢補正ガイド７３３を配置し、下面皮剥ぎ部で崩れた姿勢を補正し側面皮剥ぎに備える。姿勢補正ガイド７３３は駆動チェーンの内側に幅方向に左右対称に立設配置した一対のガイド板により形成される。
側面皮剥ぎにより図１５（Ｃ）及び（Ｄ）に示すごとく胸面側の皮は全部除去され、背中面では背中カット部分内側の残りの皮４をのぞいて除去されている。
５）  本体投入部
側面皮剥ぎ部を通過したワークは、ガイド７５０によって姿勢を整えて本体へと自動投入される。該ガイド７５０は駆動チェーン８５周回路の先側に設けた軸８７を中心に起伏方向に揺動可能に構成された先側が徐々に縮幅化されたガイド部材７５０で構成されている。
【００５２】
第５図には、前記第２図の主タクト送りの処理空間１１の回転円盤１２に搭載してあるワークを嵌挿するコーン１３の概略構成を示してある。第５図に見るように、上下昇降可能の定位置設定可能のロック用爪１３ｃを下部に持つ鉛直ロッドに繋がる肩止め１３ａと、上方よりの押圧力Ａにより斜め下方（矢印Ｂ方向）に下降可能のクッション性のある細幅の湾曲押さえよりなる胸骨押さえ１９ａを内蔵するとともに、前記胸骨押さえは下部に設けた押上げロッド１９ｂにより付勢力１９ｄに打ち勝って上方へ突出する構成にしてある。なお、ワーク１０の嵌挿は、図の二点鎖線に見るような状態で胸骨中央が前記胸骨押さえ１９ａの先端に当接するように正対させて挿入する。
【００５３】
第６図は、第２図のステーション２ＳＴのワーク固定部２１の概略構成を示す図で、（Ａ）はワークの前側より見たワーク固定状況を示す図で、（Ｂ）はその側面図である。第６図（Ａ）、（Ｂ）を参照して、ワーク１０の挿入前にコーン１３内の肩止め１３ａ、及び胸骨押さえ１９ａは所定位置Ｈより下方に下降させてある。そこへ、ワーク１０を挿入し、山形状の肩押さえ２１ａを下降させて、ワークの上部より押圧する。
【００５４】
上記押圧に対応して、肩止め１３ａ、及び胸骨押さえ１９ａは上昇し、前記肩止め１３ａは所定位置Ｈでロックされ、その定位置にセットされた肩止め１３ａにワーク１０の肩関節１０ｅの下部が当接して、ワークの高さ位置を定位置に規制する。
【００５５】
一方前記一点鎖線矢印位置に上昇していた胸骨押さえ１９ａは矢印Ｄ方向に下降し、下降しながらワーク１０の胸骨内部の中央を押圧して正対方向に方向規制をする。則ち、肩止め１３ａによりワークの上下方向の位置決めをし、胸骨押さえ１９ａによりワーク左右の正対方向の位置決めをして、後工程での正確なカット等の処理を正確に行うようにしてある。
【００５６】
第７図（Ａ）は第２図のステーション３ＳＴの背筋カット部２２ａの概略構成を示す模式図で、（Ｂ）はステーション３ＳＴの肩カット部２２ｂの概略構成を示す図である。第７図（Ａ）において、丸刃２７ｂを上下に往復させ、背中に縦に切り込みを入れるが、上記切り込みが深くなり過ぎないようにスプリングを利用し刃の受ける圧力が一定になるようにしてある。上記ワーク１０の背中の中心に胸椎に沿って切れ目を入れることにより、該切れ目を境にして背中の肉及び皮が左右に分離されるきっかけと分離位置を予め正しい位置に形成することになる。
第７図（Ｂ）に示す肩カット部２２ｂは、肩頂点付近の肉に切れ目を入れることにより、肉の引き剥がし時にこの切れ目を境に肉の引き剥がしが円滑に行なわれるようにしたもので、下記のように処理をする。則ち、まず、斜めに角度がついている鈍角状の肩押さえ２２ｃを一定位置まで降下させ、肩を固定する。前記固定により肩の上下と前後を同時に位置決めをして、ワーク１０は肩押さえの形状に合わせ変形し基準ができる。
【００５７】
ついで、丸刃２２ｄ、２２ｄを前後に往復させ、肩部の肉をカットする。なお、前記丸刃２２ｄと肩押さえ２２ｃとの距離ｔは一定寸法に設定する。また、スプリングにより圧力を調整し、骨部に刃先が当接した場合は退避する構造にして固体差を吸収する構成にしてある。上記切れ目は肩頂点から３〜５ｍｍ程度の距離が好ましい。
【００５８】
第８図には、第２図のステーション４ＳＴの肩筋入れ部２３の概略構成を示してある。第８図に見るように、肩押さえ２３ａを一定位置まで降下させ（矢印▲１▼）、肩幅を一定位置まで押圧して固体差を吸収するまで変形させる。肩関節１０ｅと上腕骨頭との接合位置を一定位置に設定し、ついで筋切断用カッター２３ｂを前記接合位置へ挿入カットする（矢印▲２▼）。
【００５９】
第９図（Ａ）は、第２図のステーション５ＳＴの胸肉剥がし部２４の概略構成を示す図で、（Ｂ）は胸肉剥がしの状況が示してある。本胸肉剥がしは、左右の両手羽１０ａをチャックで把持して引っ張ることにより胸肉１０ｂを手羽１０ａとともに胴ガラより引き剥がすようにしたもので、第９図（Ａ）に見るように、脇の下より上方に傾動して手羽１０ａを掬い上げる一対の手羽拾い２４ａ、２４ａと、掬い上げるごとに脇の下の間に隙間の出来た手羽元をチャックする一対のチャック２４ｂ、２４ｂとよりなる。
【００６０】
使用に際しては、矢印▲１▼方向へ手羽拾い２４ａを脇の下を傾動させ、矢印▲２▼方向へ手羽１０ａを回動させながら脇の下を開き隙間を作る。ついで解放状態のチャック２４ｂを降下させ前記手羽元を把持する。ついで、前記カム機構により手羽１０ａを把持した状態でチャック２４ｂは第９図（Ｂ）に二点鎖線で示す引き剥がし曲線Ｇに沿い複雑な移動曲線を描きながら下降して、高歩留まりの元に胸肉１０ｂと手羽１０ａの引き剥がしを行うようにしてある。
【００６１】
なお、上記胸肉剥がしの際、第１０図（Ａ）に示す鳥口骨の斜め後方分岐端にある三角骨３０が第１０図（Ｂ）に示すように、分岐手元で破損して剥がした胸肉に付着して混入する問題があるが、この問題を解決するため、前記胸肉剥がしの際第１０図（Ｃ）に示すように、三角骨押え３１により三角骨部を予め矢印▲３▼、▲４▼の方向に押さえて剥がし作業を行う破損防止手段を設ける構成にしている。
【００６２】
第１１図（Ａ）には、第２図のステーション６ＳＴのササミ筋入れ部２５のナイフ挿入の状況を示してあり、第１１図（Ｂ）には第１１図（Ａ）のＡ−Ａ視図を示し、ナイフ２５ａがガラ１０ｄの表面に沿い横方向より挿入されている状況が示されている。
【００６３】
本ササミ筋入れは、第１１図（Ｂ）に見るように、ササミ１０ｃの表面を覆う薄膜１０ｆをガラ１０ｄの表面に沿いナイフ２５ａによる切り込みによりカットするとともに、ササミ１０ｃとガラ１０ｄとの間の付着部を切り離し、後段のササミの引き剥がし作業をし易くしたものである。その作業手順としては、第１１図（Ａ）に見るように、矢印▲１▼に沿い先ずナイフ２５ａをササミ１０ｃとガラ１０ｄとの間の薄膜１０ｆに切り込みを入れる、ついでガラ１０ｄに沿って矢印▲２▼に沿い下方へ移動させながら第１１図（Ｃ）に示すように付着部を前記カム機構により切り下げる。
【００６４】
第１２図には、第２図のステーション７ＳＴのササミ取り部２６ａとササミ筋切り部２６ｂの構成が示してあり、前記筋入れをしたササミの上端の筋部をチャックで挟持して引き剥がし、引き剥がした後挟持しているササミ先端の筋部を切断するようにしたもので、第１２図（Ｂ）に示すように、肩押さえ２６ａを矢印▲１▼方向に下降させ肩頂点の位置決めをする、ついで、第１２図（Ａ）に示すようにチャック２６ｃの先端を矢印▲２▼方向へ移動させワーク１０の鎖骨１０ｇを押し退けササミ１０ｃの先端を露出させる、ついで前記チャック２６ｃの先端を矢印▲３▼方向に下降させ前記露出したササミ１０ｃの先端の筋１０ｈをチャック２６ｃの先端リングを通して把持する。ついで、カム機構により前記チャック２６ｃを第１２図（Ｂ）に示すように二点鎖線▲４▼に沿いワーク１０の下半身方向へ下降させササミを引き剥がし、ついで引き剥がしたササミの先端の筋１０ｈをカッター２６ｂで切断し、筋１０ｈは矢印▲５▼の方向へ、ササミ１０ｃは矢印▲６▼方向へ分離する。
【００６５】
第１３図は第２図のステーション８ＳＴのガラ排出部２７の状況を示す略図である。第１３図に見るように、ガラ排出部は排出バー２７ａと排出バー２７ｂとシュート２７ｃよりなる。ガラ１０ｄの排出時には先ずコーン１３内の肩止め１３ａの図示していないロックが解除され矢印▲１▼方向へ下降する、ついで胸骨押さえ１９ａが矢印▲２▼方向へ上昇しガラ１０ｄから外れた後コーン内に下降させる。ついで、排出バー２７ａを矢印▲３▼方向に傾動上昇させガラ１０ｄを掬い上げコーン１３より外す、ついで排出バー２７ｂを矢印▲４▼方向に駆動させ、ガラ１０ｄを矢印▲５▼方向に押し出し、シュート２７ｃに排出する。
【産業上の利用可能性】
【００６６】
本発明は、上記構成により下記効果を奏する。
本発明は、本発明の目的である工程数の削減を図るべく、前処理工程を検討して、前記コーンに嵌挿するワーク投入部の前にワークの胸部と側面部の皮剥を行う皮剥ぎ工程を設けることにより後工程の鎖骨カット及び計測、筋入れ等の肩周辺の前処理のために必要とされた従来の肩皮剥ぎ工程を削減する構成とした。又、本発明は固体差や胸部や側面の皮のたるみ等にとらわれることなく、肩幅を一定位置に固定し、肩関節と上腕骨頭との間の筋入れを正確に行うことができる。
従って本発明は、前記コーンに嵌挿するワーク投入部の前にワークの胸部と側面部の皮剥を行う皮剥ぎ工程を設けた点と胸肉剥がし方法の改善により、更に、従来の前工程の肩カットと背筋カット工程を同時に行うように構成した結果、従来の１２工程を８工程に削減できた。
また、本発明は、自動脱骨処理装置の各処理ステーションにおける脱骨処理の処理制御に、従来の流体圧アクチュエータによる直線的個別制御に代る、多様制御を可能とするカムによる統括制御系への切り換えにより、再現精度の向上、同期運動、間歇運動を可能としてコンパクトで確実に作動する構成に、さらにカム機構により動きに多様性を持たせることが出来るので、従来行なわれた他の要素系の運動が排除され、機械要素系の構成の簡略を可能にした。
上記カム型制御構成の採用により従来の流耐圧制御系の直線制御の代りに多様性の曲線制御が可能となり、各ステーションの処理機能に適合した効率的高歩留まり制御を可能とし、従来例に見られた複数の直線制御系の複合設置に代り、単一カム制御を可能とした。また、再現精度の向上、同期運動、間歇運動を可能として、高湿度の長期安定運転を可能としている。
なお前記コーンに嵌挿するワーク投入部の前にワークの胸部と側面部の皮剥を行う皮剥ぎ工程は，食鳥屠体上半身よりなるワークを嵌挿して固定するコーンを走行体に配設し、該コーンを前記走行体を介して各ステーション毎に断続歩進させながら自動脱骨処理をする脱骨処理装置であれば、前記発明に限定されず他の装置にも適用可能である。
【図面の簡単な説明】
【００６７】
【図１】第１図は、本発明の食鳥屠体上半身の自動脱骨処理装置の概略構成を示す一方側側面より見た第２図のＡ−Ａ断面図である。
【図２】第２図は、第１図のステーション群とワーク投入部に皮剥ぎ工程を設けた配設模式図である。
【図３】第３図は、第２図の各ステーションと皮剥ぎ工程の各機能を模式図的に示す図である。
【図４】第４図は、第１図のカム機構を使用した統括制御の概略構成を示す系統図である。
【図５】第５図は、第１図の各ステーションに搭載のワーク装着用のコーンの概略構成を示す図である。
【図６】第６図は、第２図のステーション２ＳＴのワーク固定部の概略構成を示す図で、（Ａ）はワークの前側より見たワーク固定状況を示す図で、（Ｂ）はその側面図である。
【図７】第７図は、（Ａ）は第２図のステーション３ＳＴの背筋カット部の概略構成を示す模式図で、（Ｂ）はステーション３ＳＴの肩カット部の概略構成を示す図である。
【図８】第８図は、第２図のステーション４ＳＴの肩筋入れ部の概略構成を示す図である。
【図９】第９図は、（Ａ）は第２図のステーション５ＳＴの胸肉剥がし部の概略構成を示す図で、（Ｂ）は胸肉剥がしの状況を示す図である。
【図１０】第１０図は、第２図のステーション５ＳＴの胸肉剥がしに付設した三角骨の混入防止手段を示す図で、（Ａ）は三角骨の位置を示す図で、（Ｂ）は胸肉剥がしの際前記三角骨が破砕され肉部に付着混入した状況を示す図で、（Ｃ）は破損した三角骨混入を防ぐため、三角骨を予め押さえる状況を示す図である。
【図１１】第１１図は、（Ａ）は第２図のステーション６ＳＴのササミ筋入れ部のナイフ挿入の状況を示す正面図で、（Ｂ）は（Ａ）のＡ−Ａ視図で、（Ｃ）は（Ａ）の側面図である。
【図１２】第１２図は、（Ａ）は第２図のステーション７ＳＴのササミ取り部のチャックがササミ先端の筋を掴む状況を示す正面図で、（Ｂ）はササミの引き剥がしと、ササミ先端の筋切断の状況を示す図である。
【図１３】第１３図は、第２図のステーション８ＳＴのガラ排出部の状況を示す略図である。
【図１４】第１４図は第２図のステーション２ＳＴのカム機構を利用した駆動系の概略構成を示す図である。
【図１５】第１５図は、ステーション１ＳＴのワーク投入部の前処理工程としての皮剥ぎ工程のフロー図である。
【図１６】第１６図は、第１５図の皮剥ぎ工程の詳細構成を示す平面図である。
【図１７】第１７図は、第１５図の皮剥ぎ工程の詳細構成を示す正面図である。
【図１８】第１８図は、第１５図の皮剥ぎ工程の内、下面皮剥ぎ部と側面皮剥ぎ部詳細構成を示す要部拡大平面図である。
【図１９】第１９図は、側面皮剥ぎ部の断面構成を示す第１８図のＡ−Ａ線断面図である。
【図２０】第２０図は、第１５図の皮剥ぎ工程の内、背中カット部詳細構成を示す要部拡大図である。
【図２１】第２１図は、（Ａ）は従来の食鳥屠体上半身の自動脱骨処理装置の概略構成を示す模式図で、（Ｂ）は（Ａ）の主タクト送りの概略構成を示す図である。
【図１】
2008307064.tif 000003
【図２】
2008307064.tif 000004
【図３】
2008307064.tif 000005
【図４】
2008307064.tif 000006
【図５】
2008307064.tif 000007
【図６】
2008307064.tif 000008
【図７】
2008307064.tif 000009
【図８】
2008307064.tif 000010
【図９】
2008307064.tif 000011
【図１０】
2008307064.tif 000012
【図１１】
2008307064.tif 000013
【図１２】
2008307064.tif 000014
【図１３】
2008307064.tif 000015
【図１４】
2008307064.tif 000016
【図１５】
2008307064.tif 000017
【図１６】
2008307064.tif 000018
【図１７】
2008307064.tif 000019
【図１８】
2008307064.tif 000020
【図１９】
2008307064.tif 000021
【図２０】
2008307064.tif 000022
【図２１】
2008307064.tif 000023
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
食鳥屠体上半身よりなるワークをコーン状のワーク固定部に嵌挿固定するワーク投入部を具え、該ワーク固定部を走行体を介して断続歩進させながら該ワーク固定部の停止位置で順次所定の脱骨処理を行う脱骨処理装置において、
前記ワークを前記コーンに嵌挿するワーク投入部の前に、コーンにワークを投入する搬送ラインを設けるとともに、該搬送ライン上にカッターによってワーク背中部の自動筋入れを行う前処理手段、前記搬送ライン上に設けた複数の皮剥ぎ部により、ワークの胸皮と手羽元（ワキの下）付近の側面の皮剥ぎを行う皮剥ぎ手段、皮剥ぎ処理後、ワーク投入部側のコーン状のワーク固定部にワークを自動投入する手段が順次配設されていることを特徴とする脱骨処理装置。
【請求項２】
前記ワークを胸面側を搬送ライン下面側に向けて搬送するとともに、前記複数の皮剥ぎ部を搬送ライン前段側のライン下面側に胸皮の皮剥ぎを行う第１の皮剥ぎ手段と、後段側に背面の切り込み部をのぞく手羽元（ワキの下）付近の側面皮剥ぎを行う第２の皮剥ぎ手段とを配設するとともに、第１の皮剥ぎ手段と第２の皮剥ぎ手段との間の搬送ライン上若しくは第２の皮剥ぎ手段の配設位置に、ワークの姿勢補正ガイドを配置し、第１の皮剥ぎ手段で崩れた姿勢を補正することを特徴とする請求項１記載の脱骨処理装置。
【請求項３】
前記皮剥ぎ手段に、螺旋状に溝が切られた２本のシャフトを対置して互いに内側方向に回転させて、皮をはぐピーラーローラ対を用い、該ピーラーローラ対をワークの下面側に搬送方向と直交して配置することで、ワークの胸肉前面の胸皮を剥ぎ取る第１の皮剥ぎ手段を前段側に、第１の皮剥ぎ手段で残った手羽元（ワキの下）付近の皮をワーク側面に略Ｖ字状に配置したピーラーローラ対によって皮を剥ぐ第２の皮剥ぎ手段とよりなることを特徴とする請求項１記載の脱骨処理装置。
【手続補正２】
【補正対象書類名】明細書
【補正対象項目名】全文
【補正方法】変更
【補正の内容】
【発明の詳細な説明】
【技術分野】
【０００１】
本発明は、食肉用鶏肉等の食鳥屠体上半身のワークの脱骨処理において、ワーク投入工程及びワーク投入後に行う脱骨処理の全過程で正しいワークの姿勢を保持するため、基準高さに対してはワークの肩関節の下面を基準面として設定するとともに、ワークの基準方向に対する向きはワークの胸骨中央への押圧部材により設定する構成とし、ついでワークの固体差の区別無く正確な肩関節まわりの腱等の生態組織の切断により、手羽とともに行う胸肉の引き剥がしや、ついで行うササミの筋入れによる確実な引き剥がしを可能とする、高歩留まりの食鳥屠体上半身の自動脱骨処理装置に関する。
【背景技術】
【０００２】
近時、食用鳥獣の飼育、屠殺、及び屠体の処理は大規模となり、各種の自動化が行なわれている。従来、食用鳥獣の屠体からの腿肉の切り離しは手作業で行なわれてきたが、最近は、好適な脱骨方法並びに脱骨装置に関する発明が提示されている。
【０００３】
上記腿肉の処理に関しては、食鳥の骨付き腿肉の骨抜き装置に係わる提案が特開平６−２８４８５４に開示されている。
上記提案は、従来の手作業による食鳥の骨付き腿肉の骨と肉への分離作業の各手順を自動的に行うことを目的としたもので、腿肉搬送装置と、食鳥の骨付き腿肉の骨に沿って筋入れをする装置と、腿肉の膝関節を切断して大腿骨と下腿骨とを分離する装置と、大腿骨を腿肉より引き剥がす装置と、下腿骨周囲の腿肉をくるぶしから膝関節まで下腿骨から引き剥がす装置と、腿肉の腱切断装置とから構成し、前記搬送装置の無端チェーンでワークのくるぶし部を略水平状に把持して所定の処理を行い、該処理の終了後、後段の処理装置へ移送する搬送手段を設けている。
【０００４】
また、腿肉処理については、食鳥の骨付腿肉の骨に沿って筋入れをする装置に係わる提案が特開平７−３９２９６に開示されている。
上記提案は、骨付腿肉を大腿骨と下腿骨に沿って切り開く作業を自動的に行うためのもので、腿肉切断手段を回転規制手段や強制回転手段や制動手段を介して、下腿骨、膝関節、大腿骨の骨部に沿っての筋入れを可能にしている。
【０００５】
上記脱骨装置のうち、鶏肉屠体上半身の脱骨処理については、下記二つの提案が特開平１１−２６６７８０並びに特開２００１−２１１８１８に開示されている。これらの提案は鶏肉屠体上半身の自動脱骨処理方法とその装置に係わるもので、鶏肉屠体上半身より肩関節を切断し、胸肉を含む手羽を剥がし、ついでササミ取りをして脱骨する際のワークの大小や左右の固体差に自動的に対応して高歩留まりの脱骨処理を行うようにしたもので、後者の提案は前者の提案を改善したもので、後者の提案においては、ワークの左右のバランスの崩れ等の固体差を吸収するとともに、胸肉剥ぎの際三角骨の破砕による異物混入の完全排除とササミのちぎれを皆無としたものである。
【０００６】
第２１図（Ａ）に見るように、上記特開平１１−２６６７８０に記載の鶏肉屠体上半身の自動脱骨処理装置は、主タクト送り部６９と補助タクト送り部７０とより構成し、主タクト送り部６９は主タクト送り５０とステーション１ｓｔ〜１２ｔｈのステーション群とよりなる。
【０００７】
上記ステーション群は、主タクト送り５０の外周にロータリ状に３０度毎に分割割り出しをし、割り出し位置に正確に位置する構成とし、各ステーションには下記に示す処理部がタクト送り５０の回動中心に対しラジアル方向に正対するように構成され、ステーション１ＳＴにはワーク投入装着部５１が設けられ、ステーション２ｎｄ〜５ｔｈには前処理部５２が設けられており、ステーション２ｎｄには肩皮剥ぎ部５２ａが設けられ、ステーション３ｒｄには肩カット部５２ｂが設けられ、ステーション４ｔｈには鎖骨カット部と背筋カット部の５２ｃが設けられ、ステーション５ｔｈには計測部５２ｄが設けられ、ステーション６ｔｈ〜７ｔｈには肩関節切断部５３が設けられており、それぞれ、ステーション６ｔｈには肩筋入れ部５３ａが設けられ、ステーション７ｔｈには脇カット部５３ｂが設けられ、ステーション８ｔｈには胸肉剥ぎ部５４が設けられ、ステーション９ｔｈにはササミ筋入れ部５５ａが設けられ、ステーション１１ｔｈにはササミ取り部５５ｂが設けられ、ステーション１２ｔｈにはガラ排出部５６が設けられている。
【０００８】
また、第２１図（Ｂ）に見るように、前記主タクト送り５０は前記ロータリ状に配設された１２個のステーション群の内側に接して、ワークを装着用コーン状のワーク固定部６８を搭載した状態で回動する装着テーブル６１と、該テーブルを所定角度の３０度毎に分割して歩進させる歩進駆動部６５と、該テーブル６１を歩進停止時に所定高さまで昇降させる昇降機構６６とより構成している。なお、図には装着テーブル６１を定位置まで上昇させたときの状態を示してある。
【０００９】
上記ワーク装着用のコーン状のワーク固定部は、前記歩進停止時に各ステーションに向け正対させて設けられ、該ワーク固定部内にはワークを内部よりセットする肩止めが設けられているが、ステーション１２ｔｈのガラ排出部５６の下部には前記肩止めのロック解除部６４が設けられ、歩進停止時に前記装着テーブル６１を下降させ前記ロック解除部６４を作動させ、ロックを解除してガラ排出を可能にしている。
【００１０】
前記鶏肉屠体上半身の自動脱骨処理方法とその装置に係わる提案は本願発明者等により前記特開平１１−２６６７８０から前記特開２００１−２１１８１８へと改善がなされてきたが、尚一層の改善を要する点があり、特に後手段の出来不出来に影響する脱骨処理前のワーク投入手段を含む前処理手段の検討及び高歩留まり化の一層の努力が要求されている。
【発明の開示】
【発明が解決しようとする課題】
【００１１】
削除
【００１２】
本発明は上記問題点に鑑みなされたもので、ワーク投入部において、皮剥ぎ鶏肉上半身の状態で皮剥ぎを行いながらステーション１ＳＴの所定位置に固定させる食鳥屠体上半身の自動脱骨処理装置の提供を目的とする。
【課題を解決するための手段】
【００１３】
本発明は、本発明の目的である手段数の削減を図るべく、前処理手段を検討して、前記コーン状のワーク固定部に嵌挿するワーク投入部の前にワークの胸皮と側面部の皮剥ぎを行う皮剥ぎ手段を設け、更に必要に応じて肩皮剥ぎをし肩の肉部を露出させることにより後手段の鎖骨カット及び計測、筋入れ等の肩周辺の前処理のために必要とされた従来の肩皮剥ぎ手段を削減する構成とした。
即ち、食鳥屠体上半身よりなるワークをコーン状のワーク固定部に嵌挿固定するワーク投入部を具え、該ワーク固定部を走行体を介して断続歩進させながら該ワーク固定部の停止位置で順次所定の脱骨処理を行う脱骨処理装置において、
前記ワークを前記コーンに嵌挿するワーク投入部の前に、コーンにワークを投入する搬送ラインを設けるとともに、該搬送ライン上にカッターによってワーク背中部の自動筋入れを行う前処理手段、前記搬送ライン上に設けた複数の皮剥ぎ部により、ワークの胸皮と手羽元（ワキの下）付近の側面の皮剥ぎを行う皮剥ぎ手段、皮剥ぎ処理後、ワーク投入部側のコーン状のワーク固定部にワークを自動投入する手段が順次配設されていることを特徴とする脱骨処理装置を提案する。
【００１４】
これにより、従来行なわれていた計測部で計測した肩幅のデータを元にして、肉押さえ板により手羽部を押し下げ肩関節を露出させ肩関節下側の筋をカットする脇カット手段は、前記コーン状のワーク固定部に嵌挿するワーク投入部の前にワークの胸皮と側面部の皮剥ぎを行う皮剥ぎ手段を設けた点と胸肉剥がし方法の改善により削減できた。
【００１５】
削除
【００１６】
削除
【００１７】
削除
【００１８】
削除
【００１９】
削除
【００２０】
削除
【００２１】
削除
【００２２】
削除
【００２３】
本発明の前記固定部は、前記コーン状のワーク固定部に嵌挿した前記ワークの肩部位の押圧により、高さ位置の制御をするとともに、外部へ突出していた胸骨押さえをワーク内に押し込み胸骨内部の中央に食い込ませ方向制御をさせる、前傾山形肩押さえを設ける構成が好ましい。
上記発明は、前段の投入手段でコーン状のワーク固定部に嵌挿したワークに対して高さ規制と方向規制をしながら位置規制をして、投入ワークに対し走行体のラジアル方向に位置する各処理部位に正対させるとともに固定させる構成について記載したもので、上記固定機能は、ワークの肩部位を押圧すべく設けた前傾山形押さえと、コーン状のワーク固定部内に内蔵された昇降可能の肩止めの高さ規制位置への上昇と、胸骨押さえの突出とにより形成されるもので、上記前傾山形押さえの下降によりワークを所定高さにセットするとともに、前記突出した胸骨押さえを上から胸骨内部の中央へ押さえ込み、食い込むように固くセットする構成としたものである。
【００２４】
削除
【００２５】
削除
【００２６】
削除
【００２７】
削除
【００２８】
削除
【００２９】
削除
【００３０】
削除
【００３１】
削除
【００３２】
削除
【００３３】
なお前記コーン状のワーク固定部に嵌挿するワーク投入部の前にワークの胸皮と側面部の皮剥ぎを行う皮剥ぎ手段は，食鳥屠体上半身よりなるワークを嵌挿して固定するコーン状のワーク固定部を走行体に配設し、該コーン状のワーク固定部に前記ワークを嵌挿固定した後、前記走行体を介して各ステーション毎に断続歩進させながら走行させて夫々所定の処理を行う各ステーションで正対停止させ、各ステーション停止毎に所定の処理を行ない、自動脱骨処理をする脱骨処理装置であれば、前記発明に限定されず他の装置にも適用可能である。
【００３４】
そしてその場合には、前記ワークを前記コーン状のワーク固定部に嵌挿するワーク投入部の前に、前記ワーク固定部にワークを投入する搬送ラインを設けるとともに、該搬送ライン上にカッターによってワーク背中部の自動筋入れを行って前処理手段、前記搬送ライン上に設けた複数の皮剥ぎ部により、複数段階の皮剥ぎを行う皮剥ぎ手段、皮剥ぎ処理後コーン状のワーク固定部にワークを自動投入する手段が順次配設されているのがよく、そしてこの場合は、前記ワークを胸面側を搬送ライン下面側に向けて搬送するとともに、前記複数の皮剥ぎ部を搬送ライン前段側のライン下面側に胸皮の皮剥ぎを行う第１の皮剥ぎ手段と、後段側に背面の切り込み部をのぞく手羽元（ワキの下）付近の側面皮剥ぎを行う第２の皮剥ぎ手段とを配設するとともに、第１の皮剥ぎ手段と第２の皮剥ぎ手段との間の搬送ライン上若しくは第２の皮剥ぎ手段の配設位置に、姿勢補正ガイドを配置し、第１の皮剥ぎ手段で崩れた姿勢を補正するのがよい。
【００３５】
又前記第１の皮剥ぎ手段に、螺旋状に溝が切られた２本のシャフトを対置して互いに内側方向に回転させて、皮をはぐピーラーローラ対を用い、該ピーラーローラ対をワークの下面側に搬送方向と直交してに配置することで、ワークの胸肉前面の皮を剥ぎ取る第１の手段を前段側に、第１の皮剥ぎ手段で残った手羽元（ワキの下）付近の皮をワーク側面に略Ｖ字状に配置したピーラーローラ対によって皮を剥ぐ第２の皮剥ぎ手段よりなるのが好ましい。
【発明を実施するための最良の形態】
【００３６】
以下、本発明を図に示した実施例を用いて詳細に説明する。但し、この実施例に記載される構成部品の寸法、材質、形状、その相対配置などは特に特定的な記載が無い限り、この発明の範囲をそれのみに限定する趣旨ではなく単なる説明例に過ぎない。
【００３７】
第１図は本発明の食鳥屠体上半身の自動脱骨処理装置の概略構成を示す一方側側面より見た第２図のＡ−Ａ断面図であり、第２図は第１図のステーション群の配設模式図であり、第３図は第２図の各ステーションの各機能を模式図的に示す図で、第３図は第２図の各ステーションの各機能を模式図的に示す図である。
【００３８】
第１図に見るように、本発明の食鳥屠体上半身の自動脱骨処理装置は、主タクト送りの処理空間１１と、８組のステーション群と、カム機構１４とより構成する。
前記主タクト送りの処理空間１１は、断続歩進駆動部１２ａを介して４５度ずつの歩進運動をする回転円盤１２と、該円盤１２の周辺部位に沿って４５度間隔でラジアル方向の外方向に向け正対配設した８個のコーン状のワーク固定部１３とより構成する。
【００３９】
また、前記脱骨処理をするステーション群は第２図の配設模式図に見るように、ステーション１ＳＴのワーク投入部前面側に設けた前処理手段（皮剥ぎ手段２００）と、回転円盤１２上に当角度間隔で設けたステーション群１ＳＴ〜８ＳＴよりなり、前記回転円盤１２の断続停止位置に設けられ前記回転円盤１２上のコーン状のワーク固定部１３に固定されたワークに対し所要処理可能の位置に配設する構成にしてある。また、第３図に見るように、前記前処理手段（皮剥ぎ手段）には鶏肉屠体上半身１０の首部をサドル７０１の差し込み部の突起７０２に挿入してワーク投入固定部７００、回転する丸刃カッター７１０によって、背筋（皮部分）をカットすることで、皮剥ぎの前処理を行う背筋カット部７１、螺旋状に溝が切られたシャフト対を互いに対峙する側に回転させて皮をはぐピーラーローラ対７２０を搬送方向と直交して配置し、ワークの胸肉前面の皮を剥ぎ取る下面皮剥ぎ部７２と、下面皮剥ぎで残った手羽元（ワキの下）付近の皮を搬送方向に沿ってそれぞれ１対のピーラーローラ対７３０Ａ、７３０ＢをＶ字状に配置したピーラーローラによって皮を剥ぐ側面皮剥ぎ部７３と、側面皮剥ぎ部を通過したワーク１０を、ガイド７５０（第１７図参照）によって姿勢を整えて走行体本体のステーション１ＳＴへと自動投入される投入部７４を具える。
【００４０】
走行体の１ＳＴにはワークをコーン状のワーク固定部１３に嵌挿するワーク投入部２０を設け、２ＳＴには前記嵌挿したワークをコーン状のワーク固定部上に所定高さにセットするとともに、ラジアル方向に正対固定させるワーク固定部２１を設け、３ＳＴには前記固定したワークの背側に筋入れをする背筋カット部２２ａと肩上部の表皮に切り込みを入れる肩カット部２２ｂとを設け、４ＳＴには肩関節１０ｅと上腕骨頭の間を切断する肩筋入れ部２３を設け、５ＳＴには肩筋入れにより肩関節より分離した手羽１０ａを手羽ともども胸肉１０ｂを剥がす胸肉剥がし部２４を設け、６ＳＴにはササミのガラとの間の薄膜に筋入れをするササミ筋入れ部２５を設け、７ＳＴには薄膜に切り込みを入れたササミの頂部をチャックしてササミ１０ｃを剥がすササミ取り部２６ａとササミ筋切り部２６ｂとを設け、８ＳＴにはガラ排出部２７を設ける構成とし、ワークを前記主タクト送りの処理空間１１により断続歩進走行させ停止時に前記各ステーションで第３図に示す処理と脱骨をして最終ステーションでガラ１０ｄを排出する構成にしてある。
【００４１】
第４図は、第１図のカム機構を使用した統括制御の概略構成を示す系統図で、第１４図は第２図のステーション２ＳＴのカム機構を利用した駆動系の概略構成を示す図である。
【００４２】
前記カム機構は、第１図、第４図及び第１４図に見るように、前記の処理空間１１の上部天井部空間１４１に配設する構成とし、駆動源である減速モータ１５と鉛直駆動軸１６ａと、該鉛直駆動軸にべべルギヤ１５ａ、１５ｂを介して連結された縦、横の直行駆動軸（ロッド）１６ｂ、１６ｃとよりなる駆動系と、該駆動軸１６ｂ、１６ｃにそれぞれのステーション毎に設けられた複数のカム１７０／カムフォロア１７１からなるカム機構群１７、１７と、該カムフォロア１７１にその一端を係合させ他端を各ステーション毎の加工処理部材に係合して所定の処理をするレバー及びロッド等からなる連繋操作リンク系１８、１８とより構成する。
【００４３】
第１図には、第２図のＡ−Ａ視図が示されているが、減速モータ１５の下部より鉛直駆動軸１６ａが設けられ、該鉛直駆動軸１６ａよりべべルギヤ１５ａを介して天井空間１４１に横駆動軸１６ｂが設けられ、該駆動軸１６ｂにべべルギヤ１５ｂを介して縦駆動軸１６ｃが配設されている。なお、前記鉛直駆動軸１６ａにはべべルギヤ１５ｃを介して下側処理空間１１に駆動軸１６ｄが設けられ、該駆動軸１６ｄにより図示していない伝導系を経由して回転円盤１２の断続歩進駆動部１２ａを駆動させる構成にしてある。
【００４４】
又、前記横駆動軸１６ｂに設けられたカム群１７より連繋操作リンク１８ａ、１８ｂ、１８ｃ、１８ｄが天井空間１４１より主タクト送りの処理空間１１へ導入され、連繋操作リンク１８ａと１８ｂは３ＳＴの肩カット部２２ｂと背筋カット部２２ａにそれぞれ係合させ、連繋操作リンク１８ｃと１８ｄは７ＳＴのササミ取り部２６ａに係合して、それぞれ所定の処理を行う構成にしてある。
【００４５】
第１４図は第２図のステーション２ＳＴのカム機構と連繋操作リンクを利用した駆動系の概略構成を示す図で、これを代表例としてカム機構と連繋操作リンクやロッド及びレバーの具体的構成を示す。
【００４６】
天板１４０上の天井空間１４１には、横駆動軸１６ｂによって回転するカム溝１７０／カムフォロア１７１からなるカム機構、該カムフォロア１７１にその一端を係合させ他端をロッド１７２に連結され、カムフォロア１７１の上下動をロッド１７２の軸運動に変換させる第１のＬ字レバー１７３、ロッド１７２の他端に連結され、ロッド１７２の水平動をロッドエンド１７４の垂直軸運動に変換する第２のＬ字レバー１７５等からなり、ロッドエンド１７４は、天板下方の処理空間１１に推設する昇降軸１７６に取り付けられ、昇降軸１７６を介して山形状の肩押さえ２１ａを昇降させることができる。
【００４７】
このカム溝１７０／カムフォロア１７１からなるカム機構と連繋操作リンクやロッド及びレバーによりそれぞれのステーションＳＴ毎に好ましいストローク量を設定して、直線運動をする流体アクチュエータの使用を主体とする制御システムに代り、上記カム機構１４のストロークをそれぞれのステーションＳＴ毎に多様性を持たせて上下若しくは回転運動に制御動をさせることが出来、且つ１つの減速モータ１５で制御系全体を機械的に確実且つ統括的に行うことができ、且つ食肉を扱う多湿空間においても、長期間の安定運転を可能にしている。また、従来行なわれた他の要素系との相互にパラレルな制御運動は原則として排除可能となり、該要素系の構成の簡略を可能にした。また、１つの減速モータ１５で制御系全体を機械的に確実且つ統括的に行うことができるために再現精度の向上、同期運動、間歇運動を可能として、高湿度の長期安定運転を可能としている。
【００４８】
第１５図〜第１９図は、は、ステーション１ＳＴのワーク投入部の前処理手段としての皮剥ぎ手段を示し、第１５図はその全体の流れを示すフロー図、第１６図及び第１７図は、皮剥ぎ手段の詳細構成を示す平面図と正面図である。
第１８図は、前記皮剥ぎ手段の内、下面皮剥ぎ部と側面皮剥ぎ部詳細構成を示す要部拡大平面図、第１９図は、側面皮剥ぎ部の断面構成を示す第１８図のＡ−Ａ線断面図である。
【００４９】
まず第１７図は皮剥ぎ手段の駆動系を構成する駆動チェーン間の搬送空間上のレイアウト構成を示し、天板１４０上には、減速モータ１５と連結された横駆動軸１６ｂによって回転するべべルギヤが組み込まれた歯車箱８１が取り付けられ、該歯車箱８１は鉛直駆動軸８２を介して処理空間１１側の歯車箱８３に回転力を伝達し、伝導チェーン（不図示）を介して皮剥ぎ手段の駆動チェーン８５を駆動させる。
【００５０】
駆動チェーン８５には、所定間隔毎にワークを固定するための矩形鍵型状のサドル７０１が取り付けられており、該サドル７０１に取り付けられた突起７０２に挿入されたワーク５０が第１ステーション１ＳＴのコーン状のワーク固定部の停止タスク間隔毎に駆動チェーンの回動力とガイド７５０を利用して前記コーン状のワーク固定部１３上に投入されるように構成している。
【００５１】
そして前記駆動チェーン８５上は、作業者のワーク投入位置から第１ステーション１ＳＴのコーン状のワーク固定部側に向けて斜め上方に向けて進行しながら、進行方向に向けてにおいて、作業者側よりワーク投入スペース、ワーク背中カット区間、下面皮剥ぎ取り区間、側面皮剥ぎ取り区間及びワークの本体投入部が位置し、それぞれの区間には後記する対応治具が、固定配置されている。
１）  作業者による投入スペース
社業者による投入スペースには、駆動チェーン８５に連結されたサドル７０１が、所定間隔毎に作業者による投入スペースに侵入し、作業者がサドル７０１に取りつけられた突起７０２に鶏肉屠体上半身の首部を創設して固定する。その結果鶏肉屠体上半身は連続で駆動するするサドル７０１によって背中カット区間に搬送される。
２）  背中カット区間
背中カット区間には第２０図に示すように、搬送方向に平行に配設された２枚の丸刃７１１と該丸刃の刃先のみを露出させて皮のみを切断可能にガイド支持部７１８に支持されている板バネ状の刃先ガイド７１２により構成した丸刃カッタ７１０を有し、該丸刃カッタ７１０は、ガイド支持部７１８に軸支されている揺動軸７１３によりワーク背中面に対し、接離方向に揺動自在に構成され、該丸刃カッタ７１０は前記軸７１３に対し丸刃の反対側までそのガイド支持部７１８を延設してその延設部７１８ａにエアシリンダ７１５を設け、重量負担の軽減を図っている。
かかる構成によれば回転するガイド付きの丸刃カッタ７１０によって、皮部分の背筋をカットすることで、皮剥ぎの前処理を行う。個体差は丸刃カッタ７１０が刃先ガイド７１２を介して軸７１３によってワーク（鶏肉屠体上半身）にならい揺動することによって吸収する。またワークに余分な力を加えず皮のみを切る目的で、エアシリンダ７１５を用いて丸刃カッタ７１０の重量を緩和している。
３）  下面皮剥ぎ区間
ワーク下面と対面する下方空間に、螺旋状に溝が切られた２本のシャフトを対置して互いに内側方向に回転可能に、搬送方向と直交して配置されたピーラーローラ対７２０が位置し、ワークの搬送に従ってワークの胸肉前面の皮を剥ぎ取る。（図１５の（Ｂ）はワークを下面（胸面）側からみたもので、剥ぎ取られた後の残りの皮がハッチング７で示されている。）
４）  側面皮剥ぎ区間
側面皮剥ぎ区間には、下側シャフトが狭域で上側シャフトが広域になるように、略Ｖ字状に搬送方向に平行に配置した２対のピーラーローラ７３０Ａ，７３０Ｂが略Ｖ型取り付け壁７０５に固設されており、下面皮剥ぎで残った手羽元（ワキの下）付近の皮を略Ｖ字に配置した２対のピーラーローラ対によって皮を剥ぐ。ピーラーローラ対７３０Ａ，７３０Ｂの回転方向とねじ切り方向はワーク搬送方向の逆向きになるように設定され、又該ピーラーローラ対の入り口側端はガイド７３１によって覆われるように構成している。こうすることで剥ぎ取った皮にワークが直接当たることがなく、ワークに脂が付着するのを防ぐ。また下面皮剥ぎ区間と側面皮剥ぎ部との間に、姿勢補正ガイド７３３を配置し、下面皮剥ぎ部で崩れた姿勢を補正し側面皮剥ぎに備える。姿勢補正ガイド７３３は駆動チェーンの内側に幅方向に左右対称に立設配置した一対のガイド板により形成される。
側面皮剥ぎにより図１５（Ｃ）及び（Ｄ）に示すごとく胸面側の皮は全部除去され、背中面では背中カット部分内側の残りの皮４をのぞいて除去されている。
５）  本体投入部
側面皮剥ぎ部を通過したワークは、ガイド７５０によって姿勢を整えて本体へと自動投入される。該ガイド７５０は駆動チェーン８５周回路の先側に設けた軸８７を中心に起伏方向に揺動可能に構成された先側が徐々に縮幅化されたガイド部材７５０で構成されている。
【００５２】
第５図には、前記第２図の主タクト送りの処理空間１１の回転円盤１２に搭載してあるワークを嵌挿するコーン状のワーク固定部１３の概略構成を示してある。第５図に見るように、上下昇降可能の定位置設定可能のロック用爪１３ｃを下部に持つ鉛直ロッドに繋がる肩止め１３ａと、上方よりの押圧力Ａにより斜め下方（矢印Ｂ方向）に下降可能のクッション性のある細幅の湾曲押さえよりなる胸骨押さえ１９ａを内蔵するとともに、前記胸骨押さえは下部に設けた押上げロッド１９ｂにより付勢力１９ｄに打ち勝って上方へ突出する構成にしてある。なお、ワーク１０の嵌挿は、図の二点鎖線に見るような状態で胸骨中央が前記胸骨押さえ１９ａの先端に当接するように正対させて挿入する。
【００５３】
第６図は、第２図のステーション２ＳＴのワーク固定部２１の概略構成を示す図で、（Ａ）はワークの前側より見たワーク固定状況を示す図で、（Ｂ）はその側面図である。第６図（Ａ）、（Ｂ）を参照して、ワーク１０の挿入前にコーン状のワーク固定部１３内の肩止め１３ａ、及び胸骨押さえ１９ａは所定位置Ｈより下方に下降させてある。そこへ、ワーク１０を挿入し、山形状の肩押さえ２１ａを下降させて、ワークの上部より押圧する。
【００５４】
上記押圧に対応して、肩止め１３ａ、及び胸骨押さえ１９ａは上昇し、前記肩止め１３ａは所定位置Ｈでロックされ、その定位置にセットされた肩止め１３ａにワーク１０の肩関節１０ｅの下部が当接して、ワークの高さ位置を定位置に規制する。
【００５５】
一方前記一点鎖線矢印位置に上昇していた胸骨押さえ１９ａは矢印Ｄ方向に下降し、下降しながらワーク１０の胸骨内部の中央を押圧して正対方向に方向規制をする。則ち、肩止め１３ａによりワークの上下方向の位置決めをし、胸骨押さえ１９ａによりワーク左右の正対方向の位置決めをして、後手段での正確なカット等の処理を正確に行うようにしてある。
【００５６】
第７図（Ａ）は第２図のステーション３ＳＴの背筋カット部２２ａの概略構成を示す模式図で、（Ｂ）はステーション３ＳＴの肩カット部２２ｂの概略構成を示す図である。第７図（Ａ）において、丸刃２７ｂを上下に往復させ、背中に縦に切り込みを入れるが、上記切り込みが深くなり過ぎないようにスプリングを利用し刃の受ける圧力が一定になるようにしてある。上記ワーク１０の背中の中心に胸椎に沿って切れ目を入れることにより、該切れ目を境にして背中の肉及び皮が左右に分離されるきっかけと分離位置を予め正しい位置に形成することになる。
第７図（Ｂ）に示す肩カット部２２ｂは、肩頂点付近の肉に切れ目を入れることにより、肉の引き剥がし時にこの切れ目を境に肉の引き剥がしが円滑に行なわれるようにしたもので、下記のように処理をする。則ち、まず、斜めに角度がついている鈍角状の肩押さえ２２ｃを一定位置まで降下させ、肩を固定する。前記固定により肩の上下と前後を同時に位置決めをして、ワーク１０は肩押さえの形状に合わせ変形し基準ができる。
【００５７】
ついで、丸刃２２ｄ、２２ｄを前後に往復させ、肩部の肉をカットする。なお、前記丸刃２２ｄと肩押さえ２２ｃとの距離ｔは一定寸法に設定する。また、スプリングにより圧力を調整し、骨部に刃先が当接した場合は退避する構造にして固体差を吸収する構成にしてある。上記切れ目は肩頂点から３〜５ｍｍ程度の距離が好ましい。
【００５８】
第８図には、第２図のステーション４ＳＴの肩筋入れ部２３の概略構成を示してある。第８図に見るように、肩押さえ２３ａを一定位置まで降下させ（矢印▲１▼）、肩幅を一定位置まで押圧して固体差を吸収するまで変形させる。肩関節１０ｅと上腕骨頭との接合位置を一定位置に設定し、ついで筋切断用カッター２３ｂを前記接合位置へ挿入カットする（矢印▲２▼）。
【００５９】
第９図（Ａ）は、第２図のステーション５ＳＴの胸肉剥がし部２４の概略構成を示す図で、（Ｂ）は胸肉剥がしの状況が示してある。本胸肉剥がしは、左右の両手羽１０ａをチャックで把持して引っ張ることにより胸肉１０ｂを手羽１０ａとともに胴ガラより引き剥がすようにしたもので、第９図（Ａ）に見るように、脇の下より上方に傾動して手羽１０ａを掬い上げる一対の手羽拾い２４ａ、２４ａと、掬い上げるごとに脇の下の間に隙間の出来た手羽元をチャックする一対のチャック２４ｂ、２４ｂとよりなる。
【００６０】
使用に際しては、矢印▲１▼方向へ手羽拾い２４ａを脇の下を傾動させ、矢印▲２▼方向へ手羽１０ａを回動させながら脇の下を開き隙間を作る。ついで解放状態のチャック２４ｂを降下させ前記手羽元を把持する。ついで、前記カム機構により手羽１０ａを把持した状態でチャック２４ｂは第９図（Ｂ）に二点鎖線で示す引き剥がし曲線Ｇに沿い複雑な移動曲線を描きながら下降して、高歩留まりの元に胸肉１０ｂと手羽１０ａの引き剥がしを行うようにしてある。
【００６１】
なお、上記胸肉剥がしの際、第１０図（Ａ）に示す鳥口骨の斜め後方分岐端にある三角骨３０が第１０図（Ｂ）に示すように、分岐手元で破損して剥がした胸肉に付着して混入する問題があるが、この問題を解決するため、前記胸肉剥がしの際第１０図（Ｃ）に示すように、三角骨押え３１により三角骨部を予め矢印▲３▼、▲４▼の方向に押さえて剥がし作業を行う破損防止手段を設ける構成にしている。
【００６２】
第１１図（Ａ）には、第２図のステーション６ＳＴのササミ筋入れ部２５のナイフ挿入の状況を示してあり、第１１図（Ｂ）には第１１図（Ａ）のＡ−Ａ視図を示し、ナイフ２５ａがガラ１０ｄの表面に沿い横方向より挿入されている状況が示されている。
【００６３】
本ササミ筋入れは、第１１図（Ｂ）に見るように、ササミ１０ｃの表面を覆う薄膜１０ｆをガラ１０ｄの表面に沿いナイフ２５ａによる切り込みによりカットするとともに、ササミ１０ｃとガラ１０ｄとの間の付着部を切り離し、後段のササミの引き剥がし作業をし易くしたものである。その作業手順としては、第１１図（Ａ）に見るように、矢印▲１▼に沿い先ずナイフ２５ａをササミ１０ｃとガラ１０ｄとの間の薄膜１０ｆに切り込みを入れる、ついでガラ１０ｄに沿って矢印▲２▼に沿い下方へ移動させながら第１１図（Ｃ）に示すように付着部を前記カム機構により切り下げる。
【００６４】
第１２図には、第２図のステーション７ＳＴのササミ取り部２６ａとササミ筋切り部２６ｂの構成が示してあり、前記筋入れをしたササミの上端の筋部をチャックで挟持して引き剥がし、引き剥がした後挟持しているササミ先端の筋部を切断するようにしたもので、第１２図（Ｂ）に示すように、肩押さえ２６ａを矢印▲１▼方向に下降させ肩頂点の位置決めをする、ついで、第１２図（Ａ）に示すようにチャック２６ｃの先端を矢印▲２▼方向へ移動させワーク１０の鎖骨１０ｇを押し退けササミ１０ｃの先端を露出させる、ついで前記チャック２６ｃの先端を矢印▲３▼方向に下降させ前記露出したササミ１０ｃの先端の筋１０ｈをチャック２６ｃの先端リングを通して把持する。ついで、カム機構により前記チャック２６ｃを第１２図（Ｂ）に示すように二点鎖線▲４▼に沿いワーク１０の下半身方向へ下降させササミを引き剥がし、ついで引き剥がしたササミの先端の筋１０ｈをカッター２６ｂで切断し、筋１０ｈは矢印▲５▼の方向へ、ササミ１０ｃは矢印▲６▼方向へ分離する。
【００６５】
第１３図は第２図のステーション８ＳＴのガラ排出部２７の状況を示す略図である。第１３図に見るように、ガラ排出部は排出バー２７ａと排出バー２７ｂとシュート２７ｃよりなる。ガラ１０ｄの排出時には先ずコーン状のワーク固定部１３内の肩止め１３ａの図示していないロックが解除され矢印▲１▼方向へ下降する、ついで胸骨押さえ１９ａが矢印▲２▼方向へ上昇しガラ１０ｄから外れた後コーン状のワーク固定部内に下降させる。ついで、排出バー２７ａを矢印▲３▼方向に傾動上昇させガラ１０ｄを掬い上げコーン状のワーク固定部１３より外す、ついで排出バー２７ｂを矢印▲４▼方向に駆動させ、ガラ１０ｄを矢印▲５▼方向に押し出し、シュート２７ｃに排出する。
【産業上の利用可能性】
【００６６】
本発明は、上記構成により下記効果を奏する。
本発明は、本発明の目的である手段数の削減を図るべく、前処理手段を検討して、前記コーン状のワーク固定部に嵌挿するワーク投入部の前にワークの胸皮と側面部の皮剥ぎを行う皮剥ぎ手段を設けることにより後手段の鎖骨カット及び計測、筋入れ等の肩周辺の前処理のために必要とされた従来の肩皮剥ぎ手段を削減する構成とした。又、本発明は固体差や胸皮や側面の皮のたるみ等にとらわれることなく、肩幅を一定位置に固定し、肩関節と上腕骨頭との間の筋入れを正確に行うことができる。
従って本発明は、前記コーン状のワーク固定部に嵌挿するワーク投入部の前にワークの胸皮と側面部の皮剥ぎを行う皮剥ぎ手段を設けた点と胸肉剥がし方法の改善により、更に、従来の前手段の肩カットと背筋カット手段を同時に行うように構成した結果、従来の１２手段を８手段に削減できた。
また、本発明は、自動脱骨処理装置の各処理ステーションにおける脱骨処理の処理制御に、従来の流体圧アクチュエータによる直線的個別制御に代る、多様制御を可能とするカムによる統括制御系への切り換えにより、再現精度の向上、同期運動、間歇運動を可能としてコンパクトで確実に作動する構成に、さらにカム機構により動きに多様性を持たせることが出来るので、従来行なわれた他の要素系の運動が排除され、機械要素系の構成の簡略を可能にした。
上記カム型制御構成の採用により従来の流耐圧制御系の直線制御の代りに多様性の曲線制御が可能となり、各ステーションの処理機能に適合した効率的高歩留まり制御を可能とし、従来例に見られた複数の直線制御系の複合設置に代り、単一カム制御を可能とした。また、再現精度の向上、同期運動、間歇運動を可能として、高湿度の長期安定運転を可能としている。
なお前記コーン状のワーク固定部に嵌挿するワーク投入部の前にワークの胸皮と側面部の皮剥ぎを行う皮剥ぎ手段は，食鳥屠体上半身よりなるワークを嵌挿して固定するコーン状のワーク固定部を走行体に配設し、該コーン状のワーク固定部を前記走行体を介して各ステーション毎に断続歩進させながら自動脱骨処理をする脱骨処理装置であれば、前記発明に限定されず他の装置にも適用可能である。
【図面の簡単な説明】
【００６７】
【図１】第１図は、本発明の食鳥屠体上半身の自動脱骨処理装置の概略構成を示す一方側側面より見た第２図のＡ−Ａ断面図である。
【図２】第２図は、第１図のステーション群とワーク投入部に皮剥ぎ手段を設けた配設模式図である。
【図３】第３図は、第２図の各ステーションと皮剥ぎ手段の各機能を模式図的に示す図である。
【図４】第４図は、第１図のカム機構を使用した統括制御の概略構成を示す系統図である。
【図５】第５図は、第１図の各ステーションに搭載のワーク装着用のコーン状のワーク固定部の概略構成を示す図である。
【図６】第６図は、第２図のステーション２ＳＴのワーク固定部の概略構成を示す図で、（Ａ）はワークの前側より見たワーク固定状況を示す図で、（Ｂ）はその側面図である。
【図７】第７図は、（Ａ）は第２図のステーション３ＳＴの背筋カット部の概略構成を示す模式図で、（Ｂ）はステーション３ＳＴの肩カット部の概略構成を示す図である。
【図８】第８図は、第２図のステーション４ＳＴの肩筋入れ部の概略構成を示す図である。
【図９】第９図は、（Ａ）は第２図のステーション５ＳＴの胸肉剥がし部の概略構成を示す図で、（Ｂ）は胸肉剥がしの状況を示す図である。
【図１０】第１０図は、第２図のステーション５ＳＴの胸肉剥がしに付設した三角骨の混入防止手段を示す図で、（Ａ）は三角骨の位置を示す図で、（Ｂ）は胸肉剥がしの際前記三角骨が破砕され肉部に付着混入した状況を示す図で、（Ｃ）は破損した三角骨混入を防ぐため、三角骨を予め押さえる状況を示す図である。
【図１１】第１１図は、（Ａ）は第２図のステーション６ＳＴのササミ筋入れ部のナイフ挿入の状況を示す正面図で、（Ｂ）は（Ａ）のＡ−Ａ視図で、（Ｃ）は（Ａ）の側面図である。
【図１２】第１２図は、（Ａ）は第２図のステーション７ＳＴのササミ取り部のチャックがササミ先端の筋を掴む状況を示す正面図で、（Ｂ）はササミの引き剥がしと、ササミ先端の筋切断の状況を示す図である。
【図１３】第１３図は、第２図のステーション８ＳＴのガラ排出部の状況を示す略図である。
【図１４】第１４図は第２図のステーション２ＳＴのカム機構を利用した駆動系の概略構成を示す図である。
【図１５】第１５図は、ステーション１ＳＴのワーク投入部の前処理手段としての皮剥ぎ手段のフロー図である。
【図１６】第１６図は、第１５図の皮剥ぎ手段の詳細構成を示す平面図である。
【図１７】第１７図は、第１５図の皮剥ぎ手段の詳細構成を示す正面図である。
【図１８】第１８図は、第１５図の皮剥ぎ手段の内、下面皮剥ぎ部と側面皮剥ぎ部詳細構成を示す要部拡大平面図である。
【図１９】第１９図は、側面皮剥ぎ部の断面構成を示す第１８図のＡ−Ａ線断面図である。
【図２０】第２０図は、第１５図の皮剥ぎ手段の内、背中カット部詳細構成を示す要部拡大図である。
【図２１】第２１図は、（Ａ）は従来の食鳥屠体上半身の自動脱骨処理装置の概略構成を示す模式図で、（Ｂ）は（Ａ）の主タクト送りの概略構成を示す図である。